(57)【要約】【課題】ポンプ式製品の容器本体からポンプ作動によらずに任意量の内容物を放出する状態を選択でき、またその全体が一体成形可能な容器本体キャップ構造を採用して、使用上の利便化を図り、また製造コストアップ化や製造工程煩雑化を抑える。【解決手段】ネジキャップ３は、容器本体１の開口首部１ａにネジ結合された筒状の下キャップ部３ａと、ヒンジ３ｊを介して下キャップ部との間の相対的な回動離間動作が可能な筒状の上キャップ部３ｂとからなる。ネジキャップ３は一体成形され、上キャップ部には内容物放出用の周知のポンプ機構（ハウジング２，吸込弁４，ピストン６など）が保持されている。下キャップ部と上キャップ部との、直結状態では操作ボタン７の押下げ操作でポンプ機構が作動して内容物を放出口７ｂから放出し、また回動離間状態では容器本体内容物を下キャップ部の上端側のラッパ出口状案内面３ｇから外部空間域に直接放出する。【選択図】図２
2013216368.tif 000002
【特許請求の範囲】
【請求項１】
容器本体の上端側筒状部に、取外し可能な形で固定的に保持された筒状の下キャップ部と、
前記下キャップ部に、当該下キャップ部との間の相対的な回動離間動作が可能な形で連結されて、内容物放出用のポンプ機構を保持する筒状の上キャップ部と、
前記回動離間動作の中心として作用する前記下キャップ部および前記上キャップ部の連結部分と、を備え、
前記下キャップ部および前記上キャップ部は、
前記上キャップ部の前記ポンプ機構の作動によって内容物が外部空間域に放出される直結状態または、
当該直結状態の前記連結部分を中心に相対的に回動離間して、前記容器本体の内容物が当該下キャップ部の上側開口部分から外部空間域に直接放出される回動離間状態へ、
選択的に設定される、
ことを特徴とするポンプ式製品用の容器本体キャップ構造。
【請求項２】
前記上キャップ部は、
前記下キャップ部とヒンジ結合により連結されている、
ことを特徴とする請求項１記載のポンプ式製品用の容器本体キャップ構造。
【請求項３】
前記下キャップ部は、
前記上側開口部分に、前記容器本体の内容物が外部空間域に直接放出される際の外向き放出案内部を備えている、
ことを特徴とする請求項１または２記載のポンプ式製品用の容器本体キャップ構造。
【請求項４】
前記下キャップ部は、
前記ポンプ機構の構成要素であって、ポンプ式製品組立て後の内容物放出操作にともない次回の放出対象内容物が前記容器本体から流入するハウジングの、外周面との間の環状シール部を備えている、
ことを特徴とする請求項１乃至３のいずれかに記載のポンプ式製品用の容器本体キャップ構造。
【請求項５】
請求項１乃至４のいずれかに記載の容器本体キャップ構造を備え、かつ、放出対象内容物を前記容器本体に収容した、
ことを特徴とするポンプ式製品。
【発明の詳細な説明】
【技術分野】
【０００１】
本発明は、ポンプ式製品用の容器本体キャップ構造に関する。
特に、通常のポンプ機構の作動による外部空間域へのいわば定量放出動作に加えて、ポンプ機構を作動させずに容器本体の内容物を任意の量だけ外部空間域に直接放出することができるようにした容器本体キャップ構造に関する。
【０００２】
すなわち、通常のポンプ式製品の容器本体の上端側筒状部（開口首部）に取外し可能な形で取り付けられる筒状キャップを、従来の単一形状部材に代えて、当該開口首部に取り付けられる下キャップ部と、当該下キャップ部との間で相対的な回動離間動作が可能な上キャップ部とで構成した容器本体キャップ構造に関する。
【０００３】
この容器本体キャップ構造が取り得る内容物放出状態は、
(11)下キャップ部および上キャップ部を直結した状態でのポンプ機構の作動により、ポンプ機構内部（ハウジング内部）の吸込弁と吐出弁との間の貯留空間域のいわば定量内容物が外部空間域に放出される通常モードと、
(12)下キャップ部および上キャップ部を回動離間させた状態で、当該上キャップ部のポンプ機構の作動なしに、容器本体に取り付けられたままの下キャップ部の上側開口部分から任意の量の容器本体内容物が直接、外部空間域に放出される回動離間モードと、
に選択的に設定される。
【０００４】
本発明はこのように、ポンプ式製品の容器本体の上端側筒状部（開口首部）に取外し可能な形で固定される筒状キャップについての、これまでの当該上端側筒状部に固定されたまま使用される単一部材という固定概念を払拭し、筒状キャップ全体のいわば構造切換えにともなう内容物放出量の変更を可能とした容器本体キャップ構造である。
【０００５】
この容器本体キャップ構造を用いたポンプ式製品の用途としてはボディーローション，日焼け止め，消毒液などのほか後述のように各種のものがある。
【背景技術】
【０００６】
容器本体に取り付けられて次回放出対象の内容物を収容するハウジングの内部に、吸込弁，吐出弁および、当該吐出弁との弁作用を呈しかつ内容物通路域として作用するピストンなどをいわば配設した形のポンプ式製品が、広く使用されている。
【０００７】
ハウジングは、例えば容器本体の上端側筒状部（開口首部）の上端面と、当該開口首部に取外し可能な形で固定された筒状キャップ（ネジキャップ）の天井面との間に挟持される。
【０００８】
従来、ポンプ式製品の内容物放出量を調整するために、この固定された筒状キャップに対して回転しながら上下動する調整リングを設け、当該調整リングの上下方向設定位置の違いによってピストンおよびこれと一体の操作ボタンの移動ストロークを変更可能、すなわち放出対象内容物の貯留空間域に対するピストンの移動量を変更可能とした放出量調整機構が開示されている（特許文献１参照）。
【先行技術文献】
【特許文献】
【０００９】
【特許文献１】特開２００４−２４３２６９号公報
【発明の開示】
【発明が解決しようとする課題】
【００１０】
上述の放出量調整機構は、容器本体と一体の筒状キャップはそのままとし、新たに設けた調整リングを当該筒状キャップに対して回転させるといったいわば細かな連続操作で内容物放出量を変化させている。
【００１１】
本発明は、このように筒状キャップ以外の新たな構成要素を何ら用いずに、容器本体に取り付けられる当該筒状キャップをその下側部分（下キャップ部）と上側部分（上キャップ部）とに分けて両者を回動離間可能な連結状態に設定するといった、新たな着想に基づくものである。
【００１２】
この新着想にかかる容器本体キャップ構造の採用により、下キャップ部と上キャップ部とを相対的に回動離間させるといった簡単な操作で、容器本体から任意量の内容物を放出できる状態に設定可能として、ポンプ式製品使用上の利便化を図ることを目的とする。
【００１３】
また、下キャップ部および上キャップ部からなる容器本体キャップ構造の全体を一体成形加工により作成して、構成部品点数を増やすことなしに、容器本体キャップ構造の製造コストアップ化や製造工程煩雑化を抑えることを目的とする。
【課題を解決するための手段】
【００１４】
本発明は、以上の課題を次のようにして解決する。
（１）容器本体（例えば後述の容器本体１）の上端側筒状部（例えば後述のネジ作用部分が形成された開口首部１ａ）に、取外し可能な形で固定的に保持された筒状の下キャップ部（例えば後述の下キャップ部３ａ）と、
前記下キャップ部に、当該下キャップ部との間の相対的な回動離間動作が可能な形で連結されて、内容物放出用のポンプ機構を保持する筒状の上キャップ部（例えば後述の上キャップ部３ｂ）と、
前記回動離間動作の中心として作用する前記下キャップ部および前記上キャップ部の連結部分（例えば後述のヒンジ３ｊ）と、を備え、
前記下キャップ部および前記上キャップ部は、
前記上キャップ部の前記ポンプ機構の作動によって内容物が外部空間域に放出される直結状態または、
当該直結状態の前記連結部分を中心に相対的に回動離間して、前記容器本体の内容物が当該下キャップ部の上側開口部分から外部空間域に直接放出される回動離間状態へ、
選択的に設定される、
ポンプ式製品用の容器本体キャップ構造を用いる。
（２）上記（１）において、
前記上キャップ部は、
前記下キャップ部とヒンジ結合により連結されている、
ポンプ式製品用の容器本体キャップ構造を用いる。
（３）上記（１），（２）において、
前記下キャップ部は、
前記上側開口部分を画定する筒状部上端側に、前記容器本体の内容物が外部空間域に直接放出される際の内容物案内面として作用する外向き放出案内部（例えば後述のラッパ出口状案内面３ｇ）を備えている、
ポンプ式製品用の容器本体キャップ構造を用いる。
（４）上記（１），（２），（３）において、
前記下キャップ部は、
前記ポンプ機構の構成要素であって、ポンプ式製品組立て後の内容物放出操作にともない次回の放出対象内容物が前記容器本体から流入するハウジング（例えば後述のハウジング２）の、外周面との間の環状シール部（例えば後述の逆スカート部３ｆ）を備えた、
ポンプ式製品用の容器本体キャップ構造を用いる。
【００１５】
本発明は、以上の構成からなるポンプ式製品用の容器本体キャップ構造および、この容器本体キャップ構造を用いたポンプ式製品を対象としている。
【発明の効果】
【００１６】
本発明はこのように、容器本体上端側筒状部に取り付けられる下キャップ部と上キャップ部とを相対的に回動離間させるといった簡単な操作によって容器本体からの任意量の内容物放出状態を設定しえるので、ポンプ式製品使用上の利便化を図ることができる。
【００１７】
また、下キャップ部および上キャップ部からなる容器本体キャップ構造の全体が一体成形されるので、その構成部品点数を増やすことなく、容器本体キャップ構造の製造コストアップ化や製造工程煩雑化を抑えることができる。
【図面の簡単な説明】
【００１８】
【図１】上キャップ部を下キャップ部に直結させて、当該上キャップ部に保持されたポンプ機構による内容物放出を前提とした直結状態の静止モードを示す説明図である。
【図２】上キャップ部および下キャップ部を相対的に回動離間させて、当該下キャップ部からの直接の内容物放出を前提とした回動離間状態の使用モードを示す説明図である。
【発明を実施するための形態】
【００１９】
図１および図２に基づいて本発明の実施形態を説明する。
【００２０】
以上の図で用いるアルファベット付き参照番号の構成要素（例えば開口首部１ａ）は原則として、当該参照番号の数字部分の構成要素（例えば容器本体１）の一部であることを示している。
【００２１】
図１および図２において、
１は周知のポンプ作用により外部空間域に放出される内容物を収容した容器本体，
１ａは当該容器本体の上端側の小径筒状部であって、その外周面にネジ作用部分が形成された開口首部（上端側筒状部），
２は後述の上キャップ部３ｂの上側内周面に係合保持されて次回放出対象の内容物を収容する筒状のハウジング，
２ａは当該ハウジングの上端側に形成された環鍔状部，
２ｂは当該ハウジングの下端側に形成された小径筒状部，
２ｃは小径筒状部２ｂの上端から上方に続く上側大径態様の環状テーパ面からなり、後述の逆スカート部３ｆと当接して容器本体内容物へのシール作用を呈する環テーパ状部，
をそれぞれ示している。
【００２２】
また、
３は容器本体１の開口首部１ａと螺合して、ハウジング２を固定保持するための筒状のネジキャップ（＝下キャップ部３ａ＋上キャップ部３ｂ），
３ａは開口首部１ａの外周面と螺合する内周面部分を備えた筒状の下キャップ部，
３ｂは内容物放出用のポンプ機構を保持し、かつ、いわば回動起倒式の開閉蓋態様で下キャップ部３ａに連結されて、当該下キャップ部との直結状態および当該下キャップ部からの回動離間状態を選択的にとりえる筒状の上キャップ部,
をそれぞれ示している。
【００２３】
また、下キャップ部３ａの構成要素として、
３ｃは下キャップ部３ａの下端面側から上方に続く大径筒状部の内周面に形成されて開口首部１ａと螺合するネジ作用部分，
３ｄはネジ作用部分３ｃの上端から内側方向に続く環天井面，
３ｅは環天井面３ｄの内端部分から上方に続いて上側開口部分を有する小径筒状部，
３ｆは小径筒状部３ｅの上端部分に内下向き態様で形成されて、ハウジング２の環テーパ状部２ｃとのシール作用を呈する環状の逆スカート部（環状シール部），
３ｇは逆スカート部３ｆからその上方に外広がり態様で連続して、容器本体１の内容物が外部空間域に直接放出されるときの内容物案内作用を呈するラッパ出口状案内面（外向き放出案内部），
３ｈは小径筒状部３ｅの外側に形成された上向きの環状段部，
３ｉは環状段部３ｈの周方向一部分に形成されて、下キャップ部３ａと直結状態の上キャップ部３ｂの内周面下端部分と係合する円弧状起立部（連結部分），
をそれぞれ示している。
【００２４】
また、下キャップ部３ａと上キャップ部３ｂとの連結構成要素として
３ｊは環状段部３ｈの外端側で円弧状起立部３ｉから周方向半周分ほど離れた部分の近傍二箇所に、下キャップ部３ａと上キャップ部３ｂとを連結する態様で形成され、当該上キャップ部の回動中心として作用する計二個のヒンジ，
３ｋは二個のヒンジ３ｊに挟まれた形の周方向範囲に、下キャップ部３ａおよび上キャップ部３ｂのそれぞれとヒンジ結合する態様で配設されて、当該上キャップ部の所定の回動離間状態を保持する断面「く」の字状の弾性変位可能な節度部材，
３ｍは節度部材３ｋの上下方向の略中間部分に形成されて弾性変位の中心域となる横方向接続部，
をそれぞれ示している。
【００２５】
また、上キャップ部３ｂの構成要素として、
３ｎは当該上キャップ部の内周面上端側に形成された環天井部、
３ｐは環天井部３ｎのいわば直下部分に形成されて、ハウジング２の環鍔状部２ａを当該環天井部との間に係合保持するための環凸状部，
３ｑは当該上キャップ部の周面部分に形成されて、ポンプ機構の内容物放出作動にともなう容器本体１の内圧減少を防止するための外気導入用孔部，
をそれぞれ示している。
【００２６】
また、
４はハウジング２の下側内部に上下方向へ移動可能な形で配設され、内容物放出操作終了にともなうハウジング内部の圧力低下によりそれまでの閉状態から開状態へと上動して、次回の放出内容物をハウジング内部に流入させるための周知の吸込弁（ボール弁），
５は容器本体１の開口首部１ａの上端面と下キャップ部３ａの環天井面３ｄとに挟持されて容器本体内容物のシール作用を呈する環状パッキン，
６は下側部分がハウジング２の内部に配設されて内容物放出用の通路部および吐出弁作用部などを備え、コイルスプリング（図示省略）の弾性作用により上方向へ付勢され、かつ上下動する周知のピストン，
７はピストン６の上端側に取り付けられた押下げタイプの操作ボタン，
７ａは外部空間域への内容物通路域，
７ｂは内容物通路域７ａの放出口，
８はハウジング２の小径筒状部２ｂの内部に取り付けられて、容器本体１からハウジング内部への内容物通路部として作用する吸上げパイプ，
Ａは直結状態の上キャップ部３ｂおよび下キャップ部３ａ（図１参照）を図２の相対的な回動離間状態に設定する際の、当該上キャップ部の回動操作方向，
をそれぞれ示している。
【００２７】
ここで、容器本体１，ハウジング２，ネジキャップ３，ピストン６，操作ボタン７，吸上げパイプ８はそれぞれ、ポリプロピレン，ポリエチレン，ポリアセタール，ナイロン，ポリブチレンテレフタレートなどからなり、一体成形加工によって作成されたプラスチック製のものである。
【００２８】
また、吸込弁４は金属製や合成樹脂製のもの、環状パッキン５はゴム製や合成樹脂製のものである。
【００２９】
図示の実施形態の基本的特徴は、
(21)ネジキャップ３を、開口首部１ａに螺合する下キャップ部３ａと、回動起倒式の開閉蓋態様で当該下キャップ部に連結された上キャップ部３ｂと、にいわば分割し、
(22)下キャップ部３ａが容器本体１の開口首部１ａに螺合し、
(23)上キャップ部３ｂが内容物放出用のポンプ機構（ハウジング２，吸込弁４，ピストン６，操作ボタン７，吸上げパイプ８など）を保持している、
ことである。
【００３０】
このような固定タイプの下キャップ部３ａおよび回動タイプの上キャップ部３ｂからなるネジキャップ３を用いることにより、
(31)上キャップ部３ｂおよび下キャップ部３ａが直結して、ハウジング２の内容物を、操作ボタン７の押下げ操作にともなうポンプ機構の動作に基づいて、操作ボタン７の放出口７ｂから外部空間域に放出する形の図１の直結状態と、
(32)上キャップ部３ｂおよび下キャップ部３ａが回動離間して、容器本体１の内容物を、ポンプ機構の動作なしに当該下キャップ部の開口側から外部空間域に直接放出する形の図２の回動離間状態と、
のそれぞれが選択的に設定される。
【００３１】
図１の直結状態（静止モード）では、
(41)上キャップ部３ｂおよび下キャップ部３ａは、
当該上キャップ部の内周面下端部分の一部（ヒンジ３ｊと対向する周方向反対側部分）が円弧状起立部３ｉと係合した状態に設定され、
(42)ピストン６およびこれと一体の操作ボタン７は、
周知のコイルスプリング（図示省略）の弾性作用により上動した最上位置に設定され、
(43)上キャップ部３ｂに保持された上記ポンプ機構は、
ピストン６との間の周知の吐出弁および、ハウジング２の下側内部の吸込弁４がそれぞれ閉状態に設定されている。
【００３２】
この吸込弁と吐出弁との間に形成されるハウジング内部の貯留空間域には、前回の操作ボタン７の押下げ操作終了時におけるピストン６の静止モード位置への弾性自動復帰にともなう当該吸込弁の周知の開動作により、容器本体１の内容物が吸上げパイプ８から流入する。
【００３３】
すなわち、この吸込弁から吐出弁までの貯留空間域には次回の放出対象となる内容物が収容される。
【００３４】
なお、ピストン６の静止モード位置への自動復帰は上記コイルスプリングの弾性作用に基づいている。この自動復帰にともない上記貯留空間域の容積が増加してそこでの内部圧力が、吸込弁の上流側である容器本体１の内部圧力よりも小さくなる。
【００３５】
その結果、吸込弁がそれまでの閉状態から開状態へとシフトし、容器本体１の内容物が吸上げパイプ８および開状態の吸込弁を介して上記貯留空間域（吸込弁と吐出弁との間のハウジング内部空間域）に流入する。
【００３６】
図１の静止モードの操作ボタン７を上記コイルスプリングの上方向への弾性力に抗する形で押し下げると、周知の上記ポンプ機構が作動する。
【００３７】
すなわち、
(51)操作ボタン７およびそれと一体のピストン６が下方向に連動し、
(52)このピストン６の下動にともない、上記貯留空間域（吸込弁と吐出弁との間のハウジング内部空間域）の容積が減少してそこでの内部圧力が増加し、
(53)この内部圧力の増加により吐出弁がそれまでの閉状態から開状態へと変化し、かつ、吸込弁は当該内部圧力の作用によって閉状態に確実に保持され、
(54)上記貯留空間域に収容済みの内容物が「吐出弁−ピストン６の内側の通路部−操作ボタン７の内容物通路域」を経て放出口７ｂから外部空間域に放出される。
【００３８】
そして利用者が操作ボタン７から手を離して押下げ操作を止めると、ピストン６およびこれと一体の操作ボタン７は上記コイルスプリングの弾性作用によって上方向に移動し、図１の静止モード位置へ復帰する。
【００３９】
このピストン６の復帰動作のとき、吸込弁が開き、容器本体１の内容物が上記貯留空間域に流入するのは上述した通りである。
【００４０】
また、この上記貯留空間域への内容物流入により容器本体１の内部圧力が低下するものの、孔部３ｑから上キャップ部３ｂの内部に流入した外気の圧力作用で逆スカート部３ｆの一部分がハウジング２の外周面から離間して、この流入外気が容器本体１の内部へ供給される。この外気供給により、容器本体１の内部空間域の負圧化が阻止される。
【００４１】
図２は、図１の直結状態の上キャップ部３ｂおよび下キャップ部３ａを互いに回動離間させた位置での内容物放出状態を示している。ヒンジ３ｊがその回動中心である。
【００４２】
直結状態の上キャップ部３ｂおよび下キャップ部３ａを回動離間させるには、例えば図１の上キャップ部３ｂをＡ方向に回動すればよい。
【００４３】
この回動離間操作は、上キャップ部３ｂと下キャップ部３ａとの間の相対的な操作であり、当該下キャップ部を当該上キャップ部に対して逆Ａ方向に回動したり、当該上キャップ部を当該下キャップ部の双方をそれぞれ互いに離間する方向に回動したりする操作でもよい。
【００４４】
この回動離間操作、例えば上キャップ部３ｂを図示Ａ方向に回動させる操作により、
(51)上キャップ部３ｂは、下キャップ部３ａの円弧状起立部３ｉとの係合状態から外れ、
(52)上キャップ部３ｂおよび下キャップ部３ａに連結された節度部材３ｋは先ず上キャップ部３ｂとともに、当該節度部材の上側部分と下側部分との間の小開き角度（図示左側の開き角度）が大きくなるように、横方向接続部３ｍの弾性力に抗する形で図１の開き角度状態からいわば拡開していき、
(53)上キャップ部３ｂは、この拡開動作の所定段階における節度部材３ｋのいわばトグルアクションによって図２の回動離間状態へ移行し、かつ、その位置に保持される。
【００４５】
上キャップ部３ｂの回動離間状態は、吸上げパイプ８の外周面と下キャップ部３ａの逆スカート部３ｆとの当接作用によっても保持される。
【００４６】
上キャップ部３ｂの回動離間状態で、利用者が、容器本体１およびこれと一体の下キャップ部３ａをその起立位置から例えば図２のように傾けることにより、当該容器本体の内容物が当該下キャップ部の小径筒状部３ｅから直に放出される。
【００４７】
このとき上キャップ部３ｂの側のポンプ機構は勿論動作せず、利用者は容器本体１から任意の量の内容物を外部空間域に放出することができる。
【００４８】
図２の回動離間状態の上キャップ部３ｂを図１の下キャップ部３ａとの直結状態に復帰させるには、当該下キャップ部に対して当該上キャップ部を相対的に逆Ａ方向へ回動させればよい。
【００４９】
図１の直結状態では、節度部材３ｋの作用により上キャップ部３ｂがＡ方向に回動しにくいように付勢されている。
【００５０】
本発明が以上の実施形態に限定されないことは勿論であり例えば、
(61)逆スカート部３ｆを下キャップ部３ａの上端以外の部分に形成する、
(62)逆スカート部３ｆに相当するシール作用部をハウジング２の外周面側に形成する、
(63)押下げタイプの操作ボタン７に代えて、傾動タイプ（チルトタイプ）の操作部を用いる、
(64)吸込弁および吐出弁として各種タイプの弁部材を用いる、
ようにしてもよい。
【００５１】
本発明が適用されるポンプ式製品としては、ボディーローション，日焼け止め，消毒液，石けん，化粧品，乳液、洗剤，シャンプー，リンス，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５２】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５７】
高分子化合物としては、メチルセルロース，ゼラチン，デンプン，カゼイン，ヒドロキシエチルセルロース，キサンタンガム，カルボキシビニルポリマーなどを用いる。
【００５８】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５９】
さらに、上記内容物以外の、懸濁剤，紫外線吸収剤，乳化剤，保湿剤，酸化防止剤、金属イオン封鎖剤なども用いることができる。
【符号の説明】
【００６０】
１：容器本体
１ａ：開口首部
２：ハウジング
２ａ：環鍔状部
２ｂ：小径筒状部
２ｃ：環テーパ状部
【００６１】
３：筒状のネジキャップ（＝下キャップ部３ａ＋上キャップ部３ｂ）
３ａ：下キャップ部
３ｂ：上キャップ部
【００６２】
（下キャップ部３ａの構成要素）
３ｃ：ネジ作用部分
３ｄ：環天井面
３ｅ：小径筒状部
３ｆ：環状の逆スカート部
３ｇ：ラッパ出口状案内面
３ｈ：上向きの環状段部
３ｉ：円弧状起立部
【００６３】
（下キャップ部３ａと上キャップ部３ｂとの連結構成要素）
３ｊ：計二個のヒンジ
３ｋ：断面「く」の字状の弾性変位可能な節度部材
３ｍ：横方向接続部
【００６４】
（上キャップ部３ｂの構成要素）
３ｎ：環天井部
３ｐ：環凸状部
３ｑ：外気導入用孔部
【００６５】
４：吸込弁（ボール弁）
５：環状パッキン
６：ピストン
７：操作ボタン
７ａ：内容物通路域
７ｂ：放出口
８：吸上げパイプ
Ａ：上キャップ部の回動離間操作方向
【図１】
2013216368.tif 000003
【図２】
2013216368.tif 000004